(57)【要約】【課題】通信機能付き充電器を用いて通信を行う形態端末装置において、通信中の携帯端末の取り外しを防止する。【解決手段】充電器１０９の通信インターフェース１１２を介して外部から着信があると、充電器の制御部１１１は、携帯端末がその着信に応じて通信を開始することを監視し、通信が開始されると、装置固定部１１３によりロック機構を駆動して携帯端末１０１と充電器１０９とを互いに固定する。通信が終了すると、通信制御部１１１は、ロックを解除する。外部からの着信ではなく、携帯端末１０１から発信する場合にも同様に、通信中は装置固定部１１３により携帯端末１０１と充電器１０９とは互いに固定される。【選択図】図１
2004015222.tif 000002
【特許請求の範囲】
【請求項１】
端末装置を充電し、通信インタフェースを有して外部と前記端末装置の間の通信を媒介し、前記端末装置の通信中に前記端末装置を固定するロック機構を有することを特徴とする通信機能付き充電器。
【請求項２】
外部と前記端末装置との間の通信が開始されるときに、前記ロック機構により前記端末装置を固定することを特徴とする請求項１記載の通信機能付き充電器。
【請求項３】
前記通信は、外部から前記端末装置に対する着信に対する、前記端末装置による応答で開始されることを特徴とする請求項２に記載の通信機能付き充電器。
【請求項４】
外部と前記端末装置との間の通信が終了されるときに、前記ロック機構による前記端末装置の固定を解除することを特徴とする請求項１乃至３のいずれか１項に記載の通信機能付き充電器。
【請求項５】
請求項１乃至４のいずれか１項に記載の通信機能付き充電器と接続されて、前記充電器の有する通信機能を使用して外部との通信を行うことを特徴とする端末装置。
【請求項６】
無線通信機能と、前記通信機能付き充電器経由で通信しているときに無線通信の着信があった場合に無線着信を表示するユーザインターフェースとを更に備えることを特徴とする請求項５に記載の端末装置。
【請求項７】
前記無線通信機能と前記充電器経由の通信機能のいずれか一方でデータを受信中に、他方の通信機能によりデータ受信の要求があった場合に、書き込むべき記憶領域が共通するならば、前記他方の通信機能によるデータ受信の要求を拒否することを特徴とする請求項６に記載の端末装置。
【請求項８】
前記無線通信機能でデータを受信中に、前記充電器経由の通信機能によりデータ受信の要求があった場合に、書き込むべき記憶領域が共通するならば、前記無線通信機能によるデータ受信の要求を拒否することを特徴とする請求項６に記載の端末装置。
【請求項９】
前記通信機能付き充電器経由で通信しているときに音声通話の無線着信がなされた場合に留守録音するように設定するユーザインタフェースを更に備えることを特徴とする請求項６に記載の携帯端末装置。
【請求項１０】
前記通信機能付き充電器経由で通信しているときに音声通話の無線着信があったときに、前記充電器経由の通信を継続する旨の選択がなされた場合に、前記無線着信に対して話し中であることを示す信号を送出することを特徴とする請求項６に端末装置。
【請求項１１】
前記通信機能付き充電器経由で通信しているときに電子メールの無線着信があった場合に、無線接続を行なって受信メールを受信し終えてから無線着信を表示するユーザインタフェースを更に備えることを特徴とする請求項６に記載の端末装置。
【請求項１２】
通信を許可する外部機器から充電器へ着信したときに受信するデータを指定するユーザインタフェースを更に備えることを特徴とする請求項５または６に記載の端末装置。
【請求項１３】
通信を許可する外部機器から充電器へ着信したときに受信するデータを保存する記憶領域を指定するユーザインタフェースを更に備えることを特徴とする請求項５または６に記載の端末装置。
【請求項１４】
無線着信がなされた場合に通信を許可する発信元を指定するユーザインタフェースを更に備えることを特徴とする請求項６に記載の端末装置。
【請求項１５】
無線着信がなされた場合に通信を許可する発信元から受信するデータを保存する記憶領域を指定するユーザインタフェースを更に備えることを特徴とする請求項６に記載の携帯端末装置。
【請求項１６】
端末装置を充電し、通信インタフェースを有して外部と前記端末装置の間の通信を媒介する通信機能付き充電器の制御方法であって、
前記端末装置に対する通信の開始を検知し、
前記通信の開始を検知すると、前記端末装置をロック機構により固定し、
前記端末装置に対する通信の終了を検知し、
前記通信の終了を検知すると、前記ロック機構による前記端末装置の固定を解除することを特徴とする通信機能付き充電器の制御方法。
【発明の詳細な説明】
【０００１】
【発明の属する技術分野】
本発明は、例えば携帯端末装置等を充電する際に利用される通信機能付き充電器及びその充電器で通信を行う携帯端末装置に関するものである。
【０００２】
【従来の技術】
従来、携帯端末装置により、その充電中に他の機器と通信を行うため、通信機能付きの充電器が利用されている。通信機能付き充電器を経由して携帯端末装置と外部機器やネットワークとの間で通信を行なう場合、通信中に携帯端末装置を充電器に固定する機構が無かった。
【０００３】
また、充電器に携帯端末装置をロックする機構が設けられている場合にも、携帯端末装置に無線通信の着信があった場合に解除されるものであった。
【０００４】
前者の例として、特開平１１−２７４０４で提案されている従来技術がある。また、後者の例として、特開平９−２１９７３９で提案されている従来技術がある。後者の例では、充電中は携帯端末を充電器にロックしているものの、携帯端末装置に無線通信の着信があるとロックを解除することで携帯端末の着信時の操作性を向上させている。
【０００５】
【発明が解決しようとする課題】
上記従来技術においては、通信中に携帯端末装置を充電器に固定する機構が無いために、通信機能付き充電器を経由して携帯端末装置が外部機器やネットワークと通信しているときに携帯端末装置を充電器からはずしてしまう可能性があった。
【０００６】
また、携帯端末装置を充電器にロックする機構がある場合に、携帯端末装置が充電器を介して通信している場合や、あるいは充電器を介して着信があった場合に、上記従来例のようにロックを解除してしまえば、携帯端末装置が充電器から取り外されてしまう可能性が生じる。
【０００７】
このように、通信機能付き充電器を用いて携帯端末装置が通信を行っている際に、携帯端末が充電器から取り外されると、通信が正常なシーケンスを経ずに中断されてしまう。
【０００８】
また、通信機能付き充電器を経由して携帯端末装置と外部機器やネットワークとの間で通信を行なっているときに携帯端末装置に無線通信の着信がなされた場合には、充電器経由のデータ通信と無線データ通信とが競合し、共通の記憶領域を書き換えてしまう可能性がある。複数のプロセスによる共通の記憶領域の更新を制限無しに許すと、その記憶領域に記憶されるデータの一貫性が失われる可能性があるという課題がある。
【０００９】
本発明は上記従来例に鑑みてなされたもので、通信中に取り外されてしまうことで生ずる通信の中断を防止できる通信機能付き充電器および端末装置を提供することを目的とする。
【００１０】
さらに、端末が無線通信機能を備えている場合に、その無線通信機能による通信と充電器を介した通信とにより、それぞれ転送されるデータが互いに同じ記憶領域に格納される場合には、一方のデータの転送を拒否することで、データの破壊を防止できる通信機能付き充電器および端末装置を提供することを目的とする。
【００１１】
さらに、充電器を介して通信中であっても、端末装置を使用するために、充電器から取り外すことが望ましい状態が生じた場合には、端末装置を充電器から自由に取り外せるようにすることで、操作性の低下を防止した通信機能付き充電器および端末装置を提供することを目的とする。
【００１２】
【課題を解決するための手段】
上記課題を解決するため、本発明に係る充電器は次のような構成を備える。
【００１３】
端末装置を充電し、通信インタフェースを有して外部と前記端末装置の間の通信を媒介し、前記端末装置の通信中に前記端末装置を固定するロック機構を有する。
【００１４】
さらに好ましくは、外部と前記端末装置との間の通信が開始されるときに、前記ロック機構により前記端末装置を固定する。
【００１５】
さらに好ましくは、前記通信は、外部から前記端末装置に対する着信に対する、前記端末装置による応答で開始される。
【００１６】
さらに好ましくは、外部と前記端末装置との間の通信が終了されるときに、前記ロック機構による前記端末装置の固定を解除する。
【００１７】
この構成により、通信中に端末を取り外せず、通信の中断を防止できる。
【００１８】
あるいは、本発明に係る端末装置は次のような構成を備える。
【００１９】
上記いずれかの通信機能付き充電器と接続されて、前記充電器の有する通信機能を使用して外部との通信を行う。
【００２０】
この構成により、通信中に端末を取り外せず、通信の中断を防止できる。
【００２１】
さらに好ましくは、無線通信機能と、前記通信機能付き充電器経由で通信しているときに無線通信の着信があった場合に無線着信を表示するユーザインタフェースとを更に備える。
【００２２】
さらに好ましくは、前記無線通信機能と前記充電器経由の通信機能のいずれか一方でデータを受信中に、他方の通信機能によりデータ受信の要求があった場合に、書き込むべき記憶領域が共通するならば、前記他方の通信機能によるデータ受信の要求を拒否する。
【００２３】
さらに好ましくは、前記無線通信機能でデータを受信中に、前記充電器経由の通信機能によりデータ受信の要求があった場合に、書き込むべき記憶領域が共通するならば、前記無線通信機能によるデータ受信の要求を拒否する。
【００２４】
この構成により、データの書き込み領域の重複に起因するデータの破壊を防止できる。
【００２５】
さらに好ましくは、前記通信機能付き充電器経由で通信しているときに音声通話の無線着信がなされた場合に留守録音するように設定するユーザインタフェースを更に備える。
【００２６】
さらに好ましくは、前記通信機能付き充電器経由で通信しているときに音声通話の無線着信があったときに、前記充電器経由の通信を継続する旨の選択がなされた場合に、前記無線着信に対して話し中であることを示す信号を送出する。
【００２７】
さらに好ましくは、前記通信機能付き充電器経由で通信しているときに電子メールの無線着信があった場合に、無線接続を行なって受信メールを受信し終えてから無線着信を表示するユーザインタフェースを更に備える。
【００２８】
さらに好ましくは、通信を許可する外部機器から充電器へ着信したときに受信するデータを指定するユーザインタフェースを更に備える。
【００２９】
さらに好ましくは、通信を許可する外部機器から充電器へ着信したときに受信するデータを保存する記憶領域を指定するユーザインタフェースを更に備える。
【００３０】
さらに好ましくは、無線着信がなされた場合に通信を許可する発信元を指定するユーザインタフェースを更に備える。
【００３１】
さらに好ましくは、無線着信がなされた場合に通信を許可する発信元から受信するデータを保存する記憶領域を指定するユーザインタフェースを更に備える。
【００３２】
【発明の実施の形態】
以下、図面を参照しながら本発明の実施の形態を説明する。
【００３３】
【第一の実施形態】
図１は、本発明の第一の実施形態に係る通信機能付き充電器と携帯端末装置の構成を示すブロック図である。携帯端末装置１０１は、記憶部１０２、制御部１０３、ユーザインタフェース１０４、充電池１０５、充電端子１０６、接続検出部１０７、通信端子１０８によって構成される。記憶部１０２は、ユーザの受信したメールやユーザの個人情報データ、ユーザが作成したファイル、インターネット経由でダウンロードされたファイル、外部機器から送信されたファイルを格納する記憶領域である。制御部１０３は、携帯端末装置の動作アルゴリズムを格納したＲＯＭ、一時記憶用のＲＡＭ、動作アルゴリズムを実行するＣＰＵからなり、記憶部１０２、ユーザインタフェース１０４を制御し、接続検出部１０７と通信端子１０８を介して充電器１０９と接続する。ユーザインタフェース１０４は、ユーザからの操作や携帯端末装置の動作表示を行なう。充電池１０５は、記憶部１０２、制御部１０３、ユーザインタフェース１０４に電力を供給し、充電端子１０６を介して充電器１０９と接続する。接続検出部１０７は、通信端子１０８が充電器１０９の通信端子１１０と接続されたことを検出して制御部へ通知する。
【００３４】
充電器１０９は、通信端子１１０、通信制御部１１１、通信インタフェース１１２、装置固定部１１３、充電端子１１４、充電制御部１１５、充電回路１１６、ＡＣアダプタ１１７より構成される。通信制御部１１１は、通信端子１１０を介して携帯端末装置１０１と接続し、通信インタフェース１１２を介して外部機器のプリンタやＰＣやホームサーバおよびインターネットへ接続する。通信インタフェース１１２は、イーサネット（登録商標）や電灯線モデムを一例とするネットワークを構成できる通信媒体である。装置固定部１１３は、携帯端末装置１０１を充電器１０９にロックする機構があり、携帯端末装置１０１が充電器１０９を経由して通信を行なっているときに通信制御部１１１の指示により携帯端末装置１０１をロックする。ロック機構の例については、図３を参照して後述する。充電制御部１１５は、ＡＣアダプタ１１７に接続された充電回路１１６を制御して充電端子１１４を介して携帯端末装置１０１と接続し、充電池１０５を充電する。ＡＣアダプタ１１７は、電灯線に接続されて交流を直流に変換し、通信制御部１１１、通信インタフェース１１２、充電回路１１６が動作する電力を供給する。本ブロック図では、ＡＣアダプタ１１７が充電器１０９に内蔵されている構成要素となるように記述されているが、充電器１０９の外部に設置される形態であってもよい。
【００３５】
図２は、本発明の第一の実施形態に係る通信機能付き充電器と携帯端末装置の構成を示すブロック図１において、通信インタフェース１１２の通信媒体として電灯線モデムを使用した場合のブロック図である。この場合、電灯線のネットワークを経由して、電灯線モデムと外部機器やインターネットが接続される。機能的には図１と等価であるので、本実施形態は図１のブロック図を参照して説明する。
【００３６】
図３は本発明の第一の実施形態に係る携帯端末装置の装置固定部１１３に実装されるロック機構の一例を示す図である。携帯端末装置３０１の側面にロック溝３０２があり、充電器３０３に実装されたロック機構３０４のロック爪３０５がロック溝３０２へ挿し込まれたり抜かれたりすることにより、携帯端末装置３０１の充電器３０３に対するロックおよびロック解除が行われる。ロック爪３０５の動作は、ロック機構３０４のソレノイドコイル３０６に制御電圧をかけることにより行われる。本実施形態で記述しているソレノイドコイルを用いたロック機構は一般的なものであり、従来技術の欄に記載した特開平９−２１９７３９や、その他にも特開平９−２１２２６２に記載されている。図１の装置固定部１１３に実装されるロック機構は、携帯端末装置１０１が充電器１０９から取り外しができなくなる機能が実装されていればよいので、図３に示した例以外で上記機能が実現されていても装置固定部１１３に実装されるロック機構として用いることができる。
【００３７】
図４は、本発明の第一の実施形態に係る携帯端末装置のユーザインタフェースを示す図である。図４のボタンやキーは、ハードウエアとして提供されていても良いが、タッチパネルに表示されたソフトウエアスイッチとして実現されても良い。その場合、図４の画面全体が電源投入により表示される。
【００３８】
図４において、充電器通信設定ボタン４０１は、図５を参照して後述される充電器通信設定画面を表示するときに押される。充電器通信終了ボタン４０２は、携帯端末装置１０１が充電器１０９を経由した通信を終了し、装置固定部１１３のロックを解除するときに押される。表示部４０３は、図５を参照して後述される充電器通信設定画面を表示する。方向キー４０４は、表示部４０３に表示された充電器通信設定項目を選択するときに使用される。決定ボタン４０５は、方向キー４０４によって選択された充電器通信設定項目を決定するときに押される。文字数字入力キー４０６は、充電器通信設定画面の文字入力や、テキストファイル作成時の文字入力に使用される。
【００３９】
図５は、本発明の第一の実施形態に係る携帯端末装置の充電器通信設定画面の一例を示す図である。充電のみ、着信待ち、印刷、ファイル転送、インターネットの各項目があり、各項目についてラジオボタンが用意されており、いずれかが選択可能となっている。
【００４０】
選択された項目が充電のみの場合は携帯端末装置１０１が充電器１０９に接続されても通信が開始されない。着信待ちの場合は、許可ホストから着信がなされたときに応答して同期ファイル指定で指定したファイルを許可ホストとの間で同期して最新のものに更新し、許可ホストから送信されたファイルを受信してファイル受信フォルダへ保存する。印刷の場合は、ネットワーク上のプリンタと印刷するファイルを指定するとプリンタへファイルが転送されて印刷される。ファイル転送の場合は、ホストに指定するＰＣやホームサーバへ携帯端末装置１０１の記憶部１０２に記憶されているファイルを送信する。
【００４１】
図５の例では、着信待ちが設定され、許可ホストとして指定したパーソナルコンピュータ（ＰＣ）「ｍｙｃｏｍｐｕｔｅｒ」とのファイル同期や受信したファイルを保存するフォルダ「ｍｙｄｏｃｕｍｅｎｔ」を指定する例が示されている。インターネットの場合は、アクセスするＵＲＬ（Ｕｎｉｖｅｒｓａｌ　Ｒｅｓｏｕｒｃｅ　Ｌｏｃａｔｏｒ）を指定し、コンテンツの受信を行なう。これらの設定は、方向キー４０４、決定ボタン４０５、文字数字入力キー４０６によって行なわれる。
【００４２】
＜通信手順＞
図６、図７、図８は、本発明の第一の実施形態に係る携帯端末装置の動作アルゴリズムを示すフローチャートである。以下では、フローチャートに従って、携帯端末装置の動作を説明する。図６は、本発明の第一の実施形態に係る携帯端末装置の動作アルゴリズムである。図６の手順は、携帯端末への着信や携帯端末上の操作等のイベントが発生した場合に、そのイベントによって生じる通信に係る処理を行うための手順である。図６には通信に係る処理のみを記載してあるが、もちろんキー操作等に応じて他に必要な処理も行われる。
【００４３】
ステップＳ６０１では、充電器経由の通信が開始されるか否かが判別される。ステップＳ６０１の動作の詳細は図７を参照して後述する。ステップＳ６０１で通信が開始される場合はステップＳ６０２へ進む。ステップＳ６０２では、通信制御部１１１から装置固定部１１３へ装置をロックする指示が出され、ロック機構により携帯端末装置１０１が充電器１０９へロックされる。ステップＳ６０３では、充電器経由の通信が終了したか否かが判別され、終了した場合はステップＳ６０４へ進み、終了しない場合はステップＳ６０３へ進み、処理が続けられる。ステップＳ６０３の動作の詳細は図８を参照して後述する。ステップＳ６０４では、通信制御部１１１から装置固定部１１３へ装置のロックを解除する指示が出され、携帯端末装置のロックが解除される。
【００４４】
図７は、本発明の第一の実施形態に係る携帯端末装置の通信機能付き充電器経由の通信開始判断における動作アルゴリズムを示すフローチャートである。
【００４５】
ステップＳ７０１では、通信端子１０８が通信端子１１０と接続されたか否かが接続検出部１０７で判別される。通信端子が接続された場合はステップＳ７０２へ進む。通信端子が接続されていない場合はステップＳ７１５へ進み、通信開始ではないと判別されて処理が終了される。
【００４６】
ステップＳ７０２では、充電器１０９の通信制御部１１１へ通信インタフェース１１２経由の着信があるか否かが判別される。着信がある場合はステップＳ７０３へ進み、着信がない場合はステップＳ７０６へ進み、処理が続けられる。
【００４７】
ステップＳ７０３では、充電器通信設定が着信待ちで発信元が許可ホストであるか否かが判別される。条件が満たされる場合は着信に応答してステップＳ７０４へ進む。条件が満たされない場合はステップＳ７０５へ進み、通信開始ではないと判別されて処理が終了される。ステップＳ７０４では、充電器経由のデータ通信が開始され、充電器通信設定に従って発信元とのファイル同期を行い、発信元から送信されてくるファイルを受信してファイル受信フォルダへ保存する。
【００４８】
ステップＳ７０６では、充電器通信設定が印刷であるか否かが判別される。印刷である場合はステップＳ７０７へ進み、印刷ではない場合はステップＳ７０９へ進み、処理が続けられる。ステップＳ７０７では、制御部１０３から通信制御部１１１へ通信開始の指示が出され、通信制御部１１１が通信インタフェース１１２とプリンタとの接続を確立する。その後ステップＳ７０８へ進み、充電器経由のデータ通信が開始される。
【００４９】
ステップＳ７０９では、充電器通信設定がファイル転送であるか否かが判別される。ファイル転送である場合はステップＳ７１０へ進み、ファイル転送ではない場合はステップＳ７１２へ進み、処理が続けられる。ステップＳ７１０では、制御部１０３から通信制御部１１１へ通信開始の指示が出され、通信制御部１１１が通信インタフェース１１２とホストとして指定されたＰＣまたはホームサーバとの接続を確立する。その後ステップＳ７１１へ進み、充電器経由のデータ通信が開始される。
【００５０】
ステップＳ７１２では、充電器通信設定がインターネットであるか否かが判別される。インターネットである場合はステップＳ７１３へ進む。インターネットではない場合はステップＳ７１５へ進み、通信開始ではないと判別されて処理が終了される。ステップＳ７１３では、制御部１０３から通信制御部１１１へ通信開始の指示が出され、通信制御部１１１が通信インタフェース１１２とインターネットとの接続を確立する。その後ステップＳ７１４へ進み、充電器経由のデータ通信が開始される。
【００５１】
図７のステップＳ７０５及びＳ７１５において「通信開始ではない」と判定された場合に、図６のステップＳ６０１において「Ｎｏ」と判定され、それ以外の場合には図６のステップＳ６０１において「Ｙｅｓ」と判定されてステップＳ６０２に進む。
【００５２】
図８は、本発明の第一の実施形態に係る携帯端末装置の通信機能付き充電器経由の通信終了判断における動作アルゴリズムを示すフローチャートである。
【００５３】
ステップＳ８０１では、外部機器から通信制御部１１１へ通信インタフェース１１２経由の通信の切断が要求されたか否かが判別される。切断の要求がなされた場合はステップＳ８０２へ進み、それ以外の場合はステップＳ８０３へ進み、処理が続けられる。ステップＳ８０２では、通信制御部１１１が通信を終了し、通信が終了したことを制御部１０３へ通知する。
【００５４】
ステップＳ８０３では、充電器通信設定が印刷であり、印刷が終了したか否かが判別される。印刷が終了した場合はステップＳ８０４へ進み、それ以外の場合はステップＳ８０５へ進み、処理が続けられる。ステップＳ８０４では、制御部１０３から通信制御部１１１へ通信終了の指示が出され、通信制御部１１１が通信インタフェース１１２とプリンタとの接続を切断する。
【００５５】
ステップＳ８０５では、充電器通信設定がファイル転送であり、ファイル転送が終了したか否かが判別される。ファイル転送が終了した場合はステップＳ８０６へ進み、それ以外の場合はステップＳ８０７へ進み、処理が続けられる。ステップＳ８０６では、制御部１０３から通信制御部１１１へ通信終了の指示が出され、通信制御部１１１が通信インタフェース１１２とＰＣやホームサーバとの接続を切断する。
【００５６】
ステップＳ８０７では、充電器通信設定がインターネットであり、インターネット経由のデータ通信が終了したか否かが判別される。インターネット経由のデータ通信が終了した場合はステップＳ８０８へ進み、それ以外の場合はステップＳ８０９へ進み、処理が続けられる。ステップＳ８０８では、制御部１０３から通信制御部１１１へ通信終了の指示が出され、通信制御部１１１が通信インタフェース１１２とインターネットとの接続を切断する。
【００５７】
ステップＳ８０９では、ユーザインタフェース１０４の充電器通信終了ボタン４０２が押されて充電器通信終了の指示がユーザから携帯端末装置１０１へ出されたか否かが判別される。充電器通信終了の場合はステップＳ８１０へ進み、それ以外の場合は通信終了ではないと判断されて処理が終了される。ステップＳ８１０では、制御部１０３から通信制御部１１１へ通信終了の指示が出され、通信制御部１１１が通信インタフェース１１２と外部機器やインターネットとの接続を切断する。
【００５８】
図８のステップＳ８０２，Ｓ８０４，Ｓ８０６，Ｓ８０８，Ｓ８１０において通信が終了された場合に、図６のステップＳ６０３において「Ｙｅｓ」と判定され、ステップＳ６０４に進んでロックが解除される。
【００５９】
以上の構成及び手順により、通信機能付き充電器を介して携帯端末により通信を開始すると、充電器は携帯端末にロックされて通信途中にその接続が断たれ、通信が中断されることを防止できる。通信が終了するとロックが解除されるために、通信中でなければ携帯端末を充電器から自由に取り外し可能である。また、本実施形態では、充電中に外部装置から着信があった場合にも、充電器と携帯端末がロックされて取り外しできない状態とされるために、この場合にも充電器と携帯端末との切り離しによる通信の中断を防止できる。
【００６０】
【第二の実施形態】
第二実施形態の携帯端末は、第一実施形態の携帯端末に無線通信機能を持たせた構成を有する。したがって本実施形態の携帯端末は、充電器を介した通信に加えて、無線通信をも行うことができる。
【００６１】
図９は、本発明の第二の実施形態に係る通信機能付き充電器と携帯端末装置の構成を示すブロック図である。携帯端末装置９０１は基地局を介して無線通信網に接続される。携帯端末装置９０１は、無線通信部９０２、制御部９０３、記憶部９０４、ユーザインタフェース９０５、充電池９０６、充電端子９０７、接続検出部９０８、通信端子９０９によって構成される。
【００６２】
無線通信部９０２は、基地局を介して無線通信網と通信を行なう。制御部９０３は、携帯端末装置の動作アルゴリズムを格納したＲＯＭ、一時記憶用のＲＡＭ、動作アルゴリズムを実行するＣＰＵからなり、無線通信部９０２、記憶部９０４、ユーザインタフェース９０５を制御し、接続検出部９０８と通信端子９０９を介して充電器９１０と接続する。記憶部９０４は、ユーザの受信したメールやユーザの個人情報データ、ユーザが作成したファイル、インターネット経由でダウンロードされたファイル、外部機器から送信されたファイルを格納する記憶領域である。ユーザインタフェース９０５は、ユーザからの操作や携帯端末装置の動作表示を行なう。充電池９０６は、無線通信部９０２、制御部９０３、記憶部９０４、ユーザインタフェース９０５に電力を供給し、充電端子９０７を介して充電器９１０と接続する。接続検出部９０８は、通信端子９０９が充電器９１０の通信端子９１１と接続されたことを検出して制御部９０３へ通知する。
【００６３】
充電器９１０は、通信端子９１１、通信制御部９１２、通信インタフェース９１３、装置固定部９１４、充電端子９１５、充電制御部９１６、充電回路９１７、ＡＣアダプタ９１８より構成される。通信制御部９１２は、通信端子９１１を介して携帯端末装置９０１と接続し、通信インタフェース９１３を介して外部機器のプリンタやＰＣやホームサーバあるいはインターネットへ接続する。通信インタフェース９１３は、イーサネット（登録商標）や電灯線モデムを一例とするネットワークを構成できる通信媒体である。装置固定部９１４は、携帯端末装置９０１を充電器９１０にロックする機構があり、携帯端末装置９０１が充電器９１０を経由して通信を行なっているときに通信制御部９１２の指示により携帯端末装置９０１をロックする。ロック機構は、図３で前述したものを一例とする機構が用いられる。充電制御部９１６は、ＡＣアダプタ９１８に接続された充電回路９１７を制御して充電端子９１５を介して携帯端末装置９０１と接続し、充電池９０６を充電する。ＡＣアダプタ９１８は、電灯線に接続されて交流を直流に変換し、通信制御部９１２、通信インタフェース９１３、充電回路９１７が動作する電力を供給する。本ブロック図では、ＡＣアダプタ９１８が充電器９１０に内蔵されている構成要素となるように記述されているが、充電器９１０の外部に設置される形態であってもよい。
【００６４】
図１０は、本発明の第二の実施形態に係る携帯端末装置のユーザインタフェースを示す図である。無線通信開始ボタン１００１は、携帯端末装置９０１が無線通信を開始するときに押される。無線通信終了ボタン１００２は、携帯端末装置９０１が無線通信を終了するときに押される。充電器通信終了ボタン１００３は、携帯端末装置９０１が充電器９１０を経由した通信を終了し、装置固定部９１４のロックを解除するときに押される。表示部１００４は、携帯端末装置９０１の操作メニューの表示や充電器通信設定画面の表示や無線着信の表示や受信メールの表示をする。メニューボタン１００５は、表示部１００４に携帯端末装置９０１の操作メニューを表示するときに押される。方向キー１００６は、表示部１００４に表示された操作メニューの選択や文字入力のカーソルの移動に使用される。決定ボタン１００７は、方向キー１００６によって選択された操作メニューを決定するときに押される。文字数字入力キー１００８は、無線通信開始時の電話番号入力や、充電器通信設定画面の文字入力、テキストファイル作成時やメール送信時の文字入力に使用される。
【００６５】
図１１は、本発明の第二の実施形態に係る携帯端末装置の操作メニューの一例を示す図である。無線データ通信設定１１０１は、無線データ着信がなされた場合の携帯端末装置９０１の動作を設定する操作である。この設定が選択された際の詳細画面は図１２に示す。充電器通信設定１１０２は、携帯端末装置９０１が充電器９１０に接続されたときに充電器経由で行なわれる通信の設定をする操作である。
【００６６】
図１２は、本発明の第二の実施形態に係る携帯端末装置の無線データ通信設定画面の一例を示す図である。着信時自動応答の設定項目があり、認証設定として接続を許可する発信元番号とパスワードが指定できる。また、接続した後に発信元から送信されてくるファイルを受信して保存するフォルダを指定できる。
【００６７】
図５は、本発明の第二の実施形態に係る携帯端末装置の充電器通信設定画面の一例を示す図である。充電のみ、着信待ち、印刷、ファイル転送、インターネットの各項目があり、充電のみの場合は携帯端末装置９０１が充電器９１０に接続されても通信が開始されない。着信待ちの場合は、許可ホストから着信がなされたときに応答して同期ファイル指定で指定したファイルを許可ホストとの間で同期して最新のものに更新し、許可ホストから送信されたファイルを受信してファイル受信フォルダへ保存する。印刷の場合は、ネットワーク上のプリンタと印刷するファイルを指定するとプリンタへファイルが転送されて印刷される。ファイル転送の場合は、ホストに指定するＰＣやホームサーバへ携帯端末装置９０１の記憶部９０４に記憶されているファイルを送信する。図５の例では、着信待ちを設定し、許可ホストとして指定したＰＣとのファイル同期や受信したファイルを保存するフォルダを指定する例が示されている。インターネットの場合は、アクセスするＵＲＬを指定し、コンテンツの受信を行なう。これらの設定は、方向キー１００６、決定ボタン１００７、文字数字入力キー１００８によって行なわれる。
【００６８】
＜通信手順＞
図１３、図７、図１４、図８は、本発明の第二の実施形態に係る携帯端末装置の動作アルゴリズムを示すフローチャートである。以下では、フローチャートに従って、携帯端末装置の動作を説明する。図１３は、本発明の第二の実施形態に係る携帯端末装置の動作アルゴリズムである。図１３の手順は、携帯端末への着信や携帯端末上の操作等のイベントが発生した場合に、そのイベントによって生じる通信に係る処理を行うための手順である。図１３には通信に係る処理のみを記載してあるが、もちろんキー操作等に応じて他に必要な処理も行われる。
【００６９】
ステップＳ１３０１では、充電器経由の通信が開始されるか否かが判別される。ステップＳ１３０１の動作の詳細は図７を参照して後述する。ステップＳ１３０１で通信が開始される場合はステップＳ１３０２へ進む。ステップＳ１３０２では、通信制御部９１２から装置固定部９１４へ装置をロックする指示が出され、ロック機構により携帯端末装置９０１が充電器９１０へロックされる。
【００７０】
ステップＳ１３０３では、無線通信部９０２へ無線データ通信の着信があるか否かが判別される。無線データ通信の着信がある場合はステップＳ１３０４へ進み、着信がない場合はステップＳ１３０７へ進み、処理が続けられる。
【００７１】
ステップＳ１３０４では、着信時自動応答の設定がなされていて、携帯端末装置９０１へ着信した電話番号が認証設定の発信元番号と一致し、認証要求に対して受信したパスワードが認証設定のパスワードと一致しているか否かが判別される。条件が満たされる場合はステップＳ１３０５へ進み、条件が満たされない場合はステップＳ１３０７へ進み、処理が続けられる。ステップＳ１３０５では、無線データ通信によって受信されるファイルが、図１２の無線データ通信設定で指定されたファイル受信フォルダへ保存される。このとき、通信制御部９１２から通信インタフェース９１３を経由してファイル転送が行われていて同一フォルダの同名ファイルが受信されている場合は、無線データ通信のファイル転送が拒否される。ステップＳ１３０５の動作の詳細は図１４を参照して後述する。
【００７２】
ステップＳ１３０６では、無線データ通信が終了したか否かが判別され、終了した場合はステップＳ１３０７へ進み、終了しない場合はステップＳ１３０５へ進み、処理が続けられる。
【００７３】
ステップＳ１３０７では、充電器経由の通信が終了したか否かが判別され、終了した場合はステップＳ１３０８へ進み、終了しない場合はステップＳ１３０３へ進み、処理が続けられる。ステップＳ１３０７の動作の詳細は図８を参照して後述する。ステップＳ１３０８では、通信制御部９１２から装置固定部９１４へ装置のロックを解除する指示が出され、携帯端末装置のロックが解除される。
【００７４】
図７は、本発明の第二の実施形態に係る携帯端末装置の通信機能付き充電器経由の通信開始判断における動作アルゴリズムを示すフローチャートである。
【００７５】
ステップＳ７０１では、通信端子９０９が通信端子９１１と接続されたか否かが接続検出部９０８で判別される。通信端子が接続された場合はステップＳ７０２へ進む。通信端子が接続されていない場合はステップＳ７１５へ進み、通信開始ではないと判別されて処理が終了される。
【００７６】
ステップＳ７０２では、充電器９１０の通信制御部９１２へ通信インタフェース９１３経由の着信があるか否かが判別される。着信がある場合はステップＳ７０３へ進み、着信がない場合はステップＳ７０６へ進み、処理が続けられる。
【００７７】
ステップＳ７０３では、充電器通信設定が着信待ちで発信元が許可ホストであるか否かが判別される。条件が満たされる場合は着信に応答してステップＳ７０４へ進む。条件が満たされない場合はステップＳ７０５へ進み、通信開始ではないと判別されて処理が終了される。ステップＳ７０４では、充電器経由のデータ通信が開始され、充電器通信設定に従って発信元とのファイル同期を行い、発信元から送信されてくるファイルを受信してファイル受信フォルダへ保存する。
【００７８】
ステップＳ７０６では、充電器通信設定が印刷であるか否かが判別される。印刷である場合はステップＳ７０７へ進み、印刷ではない場合はステップＳ７０９へ進み、処理が続けられる。ステップＳ７０７では、制御部９０３から通信制御部９１２へ通信開始の指示が出され、通信制御部９１２が通信インタフェース９１３とプリンタとの接続を確立する。その後ステップＳ７０８へ進み、充電器経由のデータ通信が開始される。
【００７９】
ステップＳ７０９では、充電器通信設定がファイル転送であるか否かが判別される。ファイル転送である場合はステップＳ７１０へ進み、ファイル転送ではない場合はステップＳ７１２へ進み、処理が続けられる。ステップＳ７１０では、制御部９０３から通信制御部９１２へ通信開始の指示が出され、通信制御部９１２が通信インタフェース９１３とホストとして指定されたＰＣまたはホームサーバとの接続を確立する。その後ステップＳ７１１へ進み、充電器経由のデータ通信が開始される。
【００８０】
ステップＳ７１２では、充電器通信設定がインターネットであるか否かが判別される。インターネットである場合はステップＳ７１３へ進む。インターネットではない場合はステップＳ７１５へ進み、通信開始ではないと判別されて処理が終了される。ステップＳ７１３では、制御部９０３から通信制御部９１２へ通信開始の指示が出され、通信制御部９１２が通信インタフェース９１３とインターネットとの接続を確立する。その後ステップＳ７１４へ進み、充電器経由のデータ通信が開始される。
【００８１】
図７のステップＳ７０５及びＳ７１５において「通信開始ではない」と判定された場合に、図１３のステップＳ１３０１において「Ｎｏ」と判定され、それ以外の場合には図１３のステップＳ１３０１において「Ｙｅｓ」と判定されてステップＳ１３０２に進む。
【００８２】
図１４は、本発明の第二の実施形態に係る携帯端末装置の無線データ着信によるファイル転送（ステップＳ１３０５）における動作アルゴリズムを示すフローチャートである。
【００８３】
ステップＳ１４０１では、通信制御部９１２が通信インタフェース９１３を経由した通信をしていて、ファイル転送が行われているか否かが判別される。通信インタフェース９１３を経由してファイル転送が行われている場合はステップＳ１４０２へ進み、行われていない場合はステップＳ１４０４へ進み、処理が続けられる。すなわち、携帯端末９０１により、充電器９０１を介した有線通信と無線通信とが同時に行われる場合にはステップＳ１４０２へ、無線通信のみが行われる場合にはステップＳ１４０４へと分岐する。なお、ファイル転送は、図５の充電器通信設定において、着信待ちの許可ホストとの間のファイル同期やファイル受信が設定されている場合、あるいはファイル転送が設定されている場合に行われる。
【００８４】
ステップＳ１４０２では、無線データ通信によって受信するファイルが、充電器経由の通信で転送されているファイルと同一のフォルダへ同名で保存されようとしているか否かが判別される。この条件は、図５の充電器通信設定のファイル受信フォルダと図１２の無線データ通信設定のファイル受信フォルダが一致し、転送されるファイルのファイル名が同一である場合に満たされる。条件が満たされる場合はステップＳ１４０３へ進み、条件が満たされない場合はステップＳ１４０４へ進み、処理が続けられる。条件が満たされた場合には、書き込みファイルの競合が発生して、本来独立した２つのファイルとして格納されたり、あるいは、一方のファイルにより他方のファイルが更新されたりすべきところ、一方が失われたり、また、更新の順序が誤ったものとなったり、あるいは、ファイルが破壊されることなどが生じ得る。そこで、ステップＳ１４０３では、無線データ通信のファイル転送が拒否される。ステップＳ１４０４では、ファイルが受信され、図１２の無線データ通信設定で指定されたファイル受信フォルダへ保存される。
【００８５】
図８は、本発明の第二の実施形態に係る携帯端末装置の通信機能付き充電器経由の通信終了判断（Ｓ１３０７）における動作アルゴリズムを示すフローチャートである。
【００８６】
ステップＳ８０１では、外部機器から通信制御部９１２へ通信インタフェース９１３経由の通信の切断が要求されたか否かが判別される。切断の要求がなされた場合はステップＳ８０２へ進み、それ以外の場合はステップＳ８０３へ進み、処理が続けられる。ステップＳ８０２では、通信制御部９１２が通信を終了し、通信が終了したことを制御部９０３へ通知する。
【００８７】
ステップＳ８０３では、充電器通信設定が印刷であり、印刷が終了したか否かが判別される。印刷が終了した場合はステップＳ８０４へ進み、それ以外の場合はステップＳ８０５へ進み、処理が続けられる。ステップＳ８０４では、制御部９０３から通信制御部９１２へ通信終了の指示が出され、通信制御部９１２が通信インタフェース９１３とプリンタとの接続を切断する。
【００８８】
ステップＳ８０５では、充電器通信設定がファイル転送であり、ファイル転送が終了したか否かが判別される。ファイル転送が終了した場合はステップＳ８０６へ進み、それ以外の場合はステップＳ８０７へ進み、処理が続けられる。ステップＳ８０６では、制御部９０３から通信制御部９１２へ通信終了の指示が出され、通信制御部９１２が通信インタフェース９１３とＰＣやホームサーバとの接続を切断する。
【００８９】
ステップＳ８０７では、充電器通信設定がインターネットであり、インターネット経由のデータ通信が終了したか否かが判別される。インターネット経由のデータ通信が終了した場合はステップＳ８０８へ進み、それ以外の場合はステップＳ８０９へ進み、処理が続けられる。ステップＳ８０８では、制御部９０３から通信制御部９１２へ通信終了の指示が出され、通信制御部９１２が通信インタフェース９１３とインターネットとの接続を切断する。
【００９０】
ステップＳ８０９では、ユーザインタフェース９０５の充電器通信終了ボタン１００３が押されて充電器通信終了の指示がユーザから携帯端末装置９０１へ出されたか否かが判別される。充電器通信終了の場合はステップＳ８１０へ進み、それ以外の場合は通信終了ではないと判断されて処理が終了される。ステップＳ８１０では、制御部９０３から通信制御部９１２へ通信終了の指示が出され、通信制御部９１２が通信インタフェース９１３と外部機器やインターネットとの接続を切断する。
【００９１】
図８のステップＳ８０２，Ｓ８０４，Ｓ８０６，Ｓ８０８，Ｓ８１０において通信が終了された場合に、図１３のステップＳ１３０７において「Ｙｅｓ」と判定され、ステップＳ１３０８に進んでロックが解除される。
【００９２】
以上の構成及び手順により、第一実施形態と同様に、通信機能付き充電器を介して携帯端末により通信を開始すると、充電器は携帯端末にロックされて通信途中にその接続が断たれ、通信が中断されることを防止できる。通信が終了するとロックが解除されるために、通信中でなければ携帯端末を充電器から自由に取り外し可能である。また、本実施形態では、充電中に外部装置から着信があった場合にも、充電器と携帯端末がロックされて取り外しできない状態とされるために、この場合にも充電器と携帯端末との切り離しによる通信の中断を防止できる。
【００９３】
加えて、充電器を介した有線通信と無線通信とが同時に行われる場合、一方の通信によって転送されているファイルと同一名かつ同一場所のファイルの転送が他方の通信において要求された場合に、その要求を拒絶することで、受信したファイルの消失や破壊を防止できる。
【００９４】
このように、第一及び第二の実施形態に記載した携帯端末によれば、通信機能付き充電器を経由して携帯端末装置が外部機器やインターネットと通信しているときに携帯端末装置を充電器からはずしてしまうことを防ぎ、安全かつ確実に外部機器やインターネットと携帯端末装置が通信できるという効果がある。また、携帯端末装置に無線通信機能があり、充電器経由のデータ通信と無線データ通信が共通の記憶領域を書き換えるように重なった場合に、無線データ通信を拒否するように動作することによって、通信機能付き充電器を経由して携帯端末装置が受信したデータが壊れることを防ぎ、安全かつ確実に外部機器やインターネットと携帯端末装置が通信できるという効果がある。
【００９５】
【第三の実施形態】
本発明の第三の実施形態に係る通信機能付き充電器と携帯端末装置の構成は、第一実施形態と同じく図１および図２に示されたとおりである。また、本実施形態に係る携帯端末装置のユーザインタフェースは図４に示す通りである。したがってこれら図面についての説明は省略する。本実施形態は、後述の通りに第一実施形態の携帯端末から着信の機能を省いたものとなっている。
【００９６】
図１５は、本実施形態に係る携帯端末装置の充電器通信設定画面の一例を示す図である。この画面は、図４の充電器通信設定ボタン４０１が操作された場合に表示される。
【００９７】
図１５において、画面中には、充電のみ、印刷、ファイル転送、インターネットの各項目があり、充電のみの場合は携帯端末装置１０１が充電器１０９に接続されても通信が開始されない。印刷の場合は、ネットワーク上のプリンタと印刷するファイルを指定するとプリンタへファイルが転送されて印刷される。ファイル転送の場合は、ホストに指定するＰＣやホームサーバへ携帯端末装置１０１の記憶部１０２に記憶されているファイルを送信する。図１５の例では、ホストとして指定したＰＣへスケジュールデータの転送を指定する例が示されている。インターネットの場合は、アクセスするＵＲＬを指定し、コンテンツの受信を行なう。これらの設定は、図４の方向キー４０４、決定ボタン４０５、文字数字入力キー４０６によって行なわれる。
【００９８】
本実施形態に係る携帯端末装置の動作アルゴリズムは、図６、図１６、図１７のフローチャートにより示される。以下では、フローチャートに従って、携帯端末装置の動作を説明する。ただし、図６は第一実施形態において説明したとおりであるから説明を省略し、図１６および図１７について説明する。
【００９９】
図１６は、本実施形態に係る携帯端末装置の通信機能付き充電器経由の通信開始判断（図６のステップＳ６０１）における動作アルゴリズムを示すフローチャートである。
【０１００】
ステップＳ１６０１では、通信端子１０８が通信端子１１０と接続されたか否かが接続検出部１０７で判別される。通信端子が接続された場合はステップＳ１６０２へ進む。通信端子が接続されていない場合はステップＳ１６１１へ進み、通信開始ではないと判別されて処理が終了される。
【０１０１】
ステップＳ１６０２では、充電器通信設定が印刷であるか否かが判別される。印刷である場合はステップＳ１６０３へ進み、印刷ではない場合はステップＳ１６０５へ進み、処理が続けられる。ステップＳ１６０３では、制御部１０３から通信制御部１１１へ通信開始の指示が出され、通信制御部１１１が通信インタフェース１１２とプリンタとの接続を確立する。その後ステップＳ１６０４へ進み、充電器経由のデータ通信が開始される。
【０１０２】
ステップＳ１６０５では、充電器通信設定がファイル転送であるか否かが判別される。ファイル転送である場合はステップＳ１６０６へ進み、ファイル転送ではない場合はステップＳ１６０８へ進み、処理が続けられる。ステップＳ１６０６では、制御部１０３から通信制御部１１１へ通信開始の指示が出され、通信制御部１１１が通信インタフェース１１２とホストとして指定されたＰＣまたはホームサーバとの接続を確立する。その後ステップＳ１６０７へ進み、充電器経由のデータ通信が開始される。
【０１０３】
ステップＳ１６０８では、充電器通信設定がインターネットであるか否かが判別される。インターネットである場合はステップＳ１６０９へ進む。インターネットではない場合はステップＳ１６１１へ進み、通信開始ではないと判別されて処理が終了される。ステップＳ１６０９では、制御部１０３から通信制御部１１１へ通信開始の指示が出され、通信制御部１１１が通信インタフェース１１２とインターネットとの接続を確立する。その後ステップＳ１６１０へ進み、充電器経由のデータ通信が開始される。
【０１０４】
図１６のステップＳ１６１１において「通信開始ではない」と判定された場合に、図６のステップＳ６０１において「Ｎｏ」と判定され、それ以外の場合には図６のステップＳ６０１において「Ｙｅｓ」と判定されてステップＳ６０２に進む。
【０１０５】
図１７は、本実施形態に係る携帯端末装置の通信機能付き充電器経由の通信終了判断（図６のステップＳ６０３）における動作アルゴリズムを示すフローチャートである。
【０１０６】
ステップＳ１７０１では、充電器通信設定が印刷であり、印刷が終了したか否かが判別される。印刷が終了した場合はステップＳ１７０２へ進み、それ以外の場合はステップＳ１７０３へ進み、処理が続けられる。ステップＳ１７０２では、制御部１０３から通信制御部１１１へ通信終了の指示が出され、通信制御部１１１が通信インタフェース１１２とプリンタとの接続を切断する。
【０１０７】
ステップＳ１７０３では、充電器通信設定がファイル転送であり、ファイル転送が終了したか否かが判別される。ファイル転送が終了した場合はステップＳ１７０４へ進み、それ以外の場合はステップＳ１７０５へ進み、処理が続けられる。ステップＳ１７０４では、制御部１０３から通信制御部１１１へ通信終了の指示が出され、通信制御部１１１が通信インタフェース１１２とＰＣやホームサーバとの接続を切断する。
【０１０８】
ステップＳ１７０５では、充電器通信設定がインターネットであり、インターネット経由のデータ通信が終了したか否かが判別される。インターネット経由のデータ通信が終了した場合はステップＳ１７０６へ進み、それ以外の場合はステップＳ１７０７へ進み、処理が続けられる。ステップＳ１７０６では、制御部１０３から通信制御部１１１へ通信終了の指示が出され、通信制御部１１１が通信インタフェース１１２とインターネットとの接続を切断する。
【０１０９】
ステップＳ１７０７では、ユーザインタフェース１０４の充電器通信終了ボタン４０２が押されて充電器通信終了の指示がユーザから携帯端末装置１０１へ出されたか否かが判別される。充電器通信終了の場合はステップＳ１７０８へ進み、それ以外の場合は通信終了ではないと判断されて処理が終了される。ステップＳ１７０８では、制御部１０３から通信制御部１１１へ通信終了の指示が出され、通信制御部１１１が通信インタフェース１１２と外部機器やインターネットとの接続を切断する。
【０１１０】
図１７のステップＳ１７０２，Ｓ１７０４，Ｓ１７０６，Ｓ１７０８において通信が終了された場合に、図６のステップＳ６０３において「Ｙｅｓ」と判定され、ステップＳ６０４に進んでロックが解除される。
【０１１１】
以上の構成及び手順により、通信機能付き充電器を介して携帯端末により通信を開始すると、充電器は携帯端末にロックされて、通信途中にその接続が断たれて通信が中断されることを防止できる。通信が終了するとロックが解除されるために、通信中でなければ携帯端末を充電器から自由に取り外し可能である。
【０１１２】
【第四の実施形態】
本実施形態に係る通信機能付き充電器と携帯端末装置の構成は、第二実施形態と同様に図９のブロック図で示される。そこでその説明は省略する。また、本実施形態に係る携帯端末装置のユーザインタフェースは、第二実施形態と同様に図１０に示される。そこでユーザインタフェースについても説明を省略する。本実施形態では、無線通信部を介して音声通話の着信があった場合の制御手順を説明する。
【０１１３】
図１８は、本実施形態に係る携帯端末装置の操作メニューの一例を示す図である。操作メニューは、図１０のメニューボタン１００５の操作により表示される。図１８において、留守録音設定１８０１は、音声通話の無線着信がなされた場合の留守録音を設定／解除する操作である。メール１８０２は、無線通信網経由でメールを送受信する操作である。充電器通信設定１８０３は、携帯端末装置９０１が充電器９１０に接続されたときに充電器経由で行なわれる通信の設定をする操作である。充電器通信設定１８０３が方向キー１００６及び決定ボタン１００７により選択されると、充電器通信設定画面が表示される。
【０１１４】
本実施形態に係る携帯端末装置の充電器通信設定画面の一例は、第三実施形態と同様に図１５に示されたものである。充電のみ、印刷、ファイル転送、インターネットの各項目があり、充電のみの場合は携帯端末装置９０１が充電器９１０に接続されても通信が開始されない。印刷の場合は、ネットワーク上のプリンタと印刷するファイルを指定するとプリンタへファイルが転送されて印刷される。ファイル転送の場合は、ホストに指定するＰＣやホームサーバへ携帯端末装置９０１の記憶部９０４に記憶されているファイルを送信する。図１５の例では、ホストとして指定したＰＣへスケジュールデータの転送を指定する例が示されている。インターネットの場合は、アクセスするＵＲＬを指定し、コンテンツの受信を行なう。これらの設定は、方向キー１００６、決定ボタン１００７、文字数字入力キー１００８によって行なわれる。
【０１１５】
本実施形態に係る携帯端末装置の動作アルゴリズムは、図１９、図１６、図２０、図１７のフローチャートにより示される。以下では、フローチャートに従って、携帯端末装置の動作を説明する。ただし、図１６および図１７は第三実施形態において説明したとおりであるから説明を省略し、図１９および図２０について説明する。
【０１１６】
図１９は、本実施形態に係る携帯端末装置の動作アルゴリズムである。図１９の手順は、携帯端末上の操作等のイベントが発生した場合に、そのイベントによって生じる通信に係る処理を行うための手順である。図１９には通信に係る処理のみを記載してあるが、もちろんキー操作等に応じて他に必要な処理も行われる。
【０１１７】
ステップＳ１９０１では、充電器経由の通信が開始されるか否かが判別される。ステップＳ１９０１の動作の詳細は図６を参照して後述する。ステップＳ１９０１で通信が開始される場合はステップＳ１９０２へ進む。ステップＳ１９０２では、通信制御部９１２から装置固定部９１４へ装置をロックする指示が出され、携帯端末装置９０１が充電器９１０へロックされる。
【０１１８】
ステップＳ１９０３では、無線通信部９０２へ音声通話の無線着信があるか否かが判別される。音声通話の無線着信がある場合はステップＳ１９０４へ進み、無線着信がない場合はステップＳ１９１１へ進み、処理が続けられる。
【０１１９】
ステップＳ１９０４では、留守録音の設定がなされているか否かが判別される。操作メニューの留守録音設定１８０１で留守録音の設定がなされている場合はステップＳ１９０５へ進み、なされていない場合はステップＳ１９０６へ進み、処理が続けられる。ステップＳ１９０５では、音声通話の無線着信に応答がなされ、通話先のメッセージが記憶部９０４へ記録される。ステップＳ１９０６では、音声通話の無線着信がなされていることがユーザインタフェース９０５の表示部１００４に表示される。
【０１２０】
ステップＳ１９０７では、ユーザが充電器経由の通信を継続するか否かが判別され、通信を継続する場合はステップＳ１９０８へ進み、通信を継続しない場合はステップＳ１９０９へ進み、処理が続けられる。ステップＳ１９０７の処理の詳細は図２０を参照して後述する。ステップＳ１９０８では、音声通話の無線着信に対してビジートーンが送信され、話し中であることが通知される。ステップＳ１９０９では、制御部９０３から通信制御部９１２に対して充電器経由の通信を切断する指示が出され、通信制御部９１２が通信インタフェース９１３と外部機器やインターネットとの接続を切断する。ステップＳ１９１０では、通信制御部９１２から装置固定部９１４へ装置のロックを解除する指示が出され、携帯端末装置のロックが解除される。ロックが解除された携帯端末装置に対して、ユーザインタフェース９０５の無線通信開始ボタン１００１でユーザの応答がなされ、無線通信終了ボタン１００２が押されるまで音声通話の無線通信が継続される。
【０１２１】
ステップＳ１９１１では、充電器経由の通信が終了したか否かが判別され、終了した場合はステップＳ１９１２へ進み、終了しない場合はステップＳ１９０３へ進み、処理が続けられる。ステップＳ１９１１の動作の詳細は図７を参照して後述する。ステップＳ１９１２では、通信制御部９１２から装置固定部９１４へ装置のロックを解除する指示が出され、携帯端末装置のロックが解除される。
【０１２２】
本実施形態に係る携帯端末装置の通信機能付き充電器経由の通信開始判断（図１９のステップＳ１９０１）における動作アルゴリズムを示すフローチャートは、図１６に示したとおりである。そこで、その説明は省略する。図１６のステップＳ１６１１において「通信開始ではない」と判定された場合に、図１９のステップＳ１９０１において「Ｎｏ」と判定され、それ以外の場合には図１９のステップＳ１９０１において「Ｙｅｓ」と判定されてステップＳ１９０２に進む。
【０１２３】
図２０は、本実施形態に係る携帯端末装置の通信機能付き充電器経由の通信継続判断（図１９のステップＳ１９０７）における動作アルゴリズムを示すフローチャートである。
【０１２４】
ステップＳ２００１では、ユーザインタフェース９０５の充電器通信終了ボタン１００３が押されて充電器通信終了の指示がユーザから携帯端末装置９０１へ出されたか否かが判別される。充電器通信終了の場合はステップＳ２００２へ進み、充電器通信終了ではない場合はステップＳ２００３へ進み、処理が続けられる。ステップＳ２００２では、通信継続ではないと判断される。ステップＳ２００３では、通信継続であると判断される。
【０１２５】
本実施形態に係る携帯端末装置の通信機能付き充電器経由の通信終了判断（図１９のステップＳ１９１１）における動作アルゴリズムは、第三実施形態と同様に図１７のフローチャートで示される。そこでその説明は省略する。図１７のステップＳ１７０２，Ｓ１７０４，Ｓ１７０６，Ｓ１７０８において通信が終了された場合に、図１９のステップＳ１９１１において「Ｙｅｓ」と判定され、ステップＳ１９１２に進んでロックが解除される。
【０１２６】
以上の構成及び手順で、充電器を介した通信中に音声通話の着信があり、しかも留守録音をしない設定となっている場合には、充電器を介した通信を続行するか否かを利用者に選択させ、利用者が充電器通信を続行することを選択した場合には、音声着信はそのまま充電器通信の終了まで待たされる。一方、充電器通信を終了することを選択した場合には、充電器通信は中断されて携帯端末と充電器との間のロックは解除されて、端末を利用者が取り上げて通話することが可能となる。
【０１２７】
【第五の実施形態】
本実施形態に係る通信機能付き充電器と携帯端末装置の構成を示すブロック図、携帯端末装置のユーザインタフェースを示す図、携帯端末装置の操作メニューの一例を示す図、携帯端末装置の充電器通信設定画面の一例を示す図は、第四の実施形態と同様であり、それぞれ図９、図１０、図１８、図１５である。
【０１２８】
図２１は、本実施形態に係る携帯端末装置の動作アルゴリズムを示すフローチャートである。以下では、フローチャートに従って、携帯端末装置の動作を説明する。
【０１２９】
ステップＳ２１０１では、充電器経由の通信が開始されるか否かが判別される。ステップＳ２１０１の動作の詳細は第四の実施形態で図１６を参照して記述されたものと同じである。ステップＳ２１０１で通信が開始される場合はステップＳ２１０２へ進む。ステップＳ２１０２では、通信制御部９１２から装置固定部９１４へ装置をロックする指示が出され、携帯端末装置９０１が充電器９１０へロックされる。
【０１３０】
ステップＳ２１０３では、無線通信部９０２へ無線通信網経由のメール着信があるか否かが判別される。メール着信がある場合はステップＳ２１０４へ進み、メール着信がない場合はステップＳ２１０７へ進み、処理が続けられる。ステップＳ２１０４では、メールの受信が行なわれ、無線通信部９０２が受信したメールを制御部９０３が記憶部９０４へ格納する。ステップＳ２１０５では、メール着信がユーザインタフェース９０５の表示部１００４へ表示される。
【０１３１】
ステップＳ２１０６では、ユーザが充電器経由の通信を継続するか否かが判別され、通信を継続する場合はステップＳ２１０７へ進み、通信を継続しない場合はステップＳ２１０８へ進み、処理が続けられる。ステップＳ２１０６の処理の詳細は第二の実施形態で図２０を参照して記述されたものと同じである。
【０１３２】
ステップＳ２１０７では、充電器経由の通信が終了したか否かが判別され、終了した場合はステップＳ２１１０へ進み、終了しない場合はステップＳ２１０３へ進み、処理が続けられる。ステップＳ２１０７の動作の詳細は第四の実施形態で図１７を参照して記述されたものと同じである。ステップＳ２１０８では、制御部９０３から通信制御部９１２に対して充電器経由の通信を切断する指示が出され、通信制御部９１２が通信インタフェース９１３と外部機器やインターネットとの接続を切断する。ステップＳ２１０９では、通信制御部９１２から装置固定部９１４へ装置のロックを解除する指示が出され、携帯端末装置のロックが解除される。ロックが解除された携帯端末装置に対して、ユーザインタフェース９０５のメニューボタン１００５と方向キー１００６と決定ボタン１００７で操作メニューのメール１８０２が選択されて着信メールが表示部１００４へ表示される。ステップＳ２１１０では、通信制御部９１２から装置固定部９１４へ装置のロックを解除する指示が出され、携帯端末装置のロックが解除される。
【０１３３】
以上の構成及び手順で、充電器を介した通信中に電子メールの着信があった場合には、無線接続を行なって受信メールを受信し終えてから無線着信を表示する。そして充電器を介した通信を続行するか否かを利用者に選択させ、利用者が充電器通信を続行することを選択した場合には、そのまま通信は続行される。一方、充電器通信を終了することを選択した場合には、充電器通信は中断されて携帯端末と充電器との間のロックは解除されて、利用者が携帯端末を取り上げてメールの内容を読むことが可能となる。
【０１３４】
【他の実施形態】
（１）第二の実施形態においては、充電器を介して通信途中に無線通信の着信があった場合、それぞれの通信により携帯端末にダウンロードされるファイルが衝突するならば、すなわち同一のフォルダに同一の名称で格納されるファイルであるならば、無線通信によるダウンロードを行わないものとしている。
【０１３５】
これに対して携帯端末が無線通信を介して通信中の場合には、ユーザインターフェースメニューによる操作ができないよう、キー操作をロックするなどして、充電器を介しての通信を行わせないようにすることで、それぞれの通信により携帯端末にダウンロードされるファイルの衝突、すなわち同一のフォルダに同一の名称で同時に複数のファイルがダウンロードされることを防止できる。
（２）あるいは、携帯端末が無線通信を介してファイルのダウンロード中に、充電器を介してサーバ等からファイルのダウンロードの要求があり、それぞれの通信により携帯端末にダウンロードされるファイルが衝突するならば、すなわち同一のフォルダに同一の名称で格納されるファイルであるならば、充電器を介して要求されたファイルの転送を拒否することもできる。
（３）なお、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０１３６】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても達成される。
【０１３７】
この場合、記憶媒体から読み出されたプログラムコード自体が前述した実施形態の機能を実現することになり、そのプログラムコード自体およびプログラムコードを記憶した記憶媒体は本発明を構成することになる。
【０１３８】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。
【０１３９】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【０１４０】
【発明の効果】
以上説明したように、本発明によれば、通信中に取り外されてしまうことで生ずる通信の中断を防止できる。
【０１４１】
さらに、端末が無線通信機能を備えている場合に、その無線通信機能による通信と充電器を介した通信とにより、それぞれ転送されるデータが互いに同じ記憶領域に格納される場合には、一方のデータの転送を拒否することで、データの破壊を防止できる。
【０１４２】
さらに、充電器を介して通信中であっても、端末装置を使用するために、充電器から取り外すことが望ましい状態が生じた場合には、端末装置を充電器から自由に取り外せるようにすることで、操作性の低下を防止できる。
【図面の簡単な説明】
【図１】本発明の実施形態に係る通信機能付き充電器と携帯端末装置の構成を示すブロック図。
【図２】本発明の実施形態に係る通信機能付き充電器と携帯端末装置の構成において通信インタフェースとして電灯線モデムを使用した場合を示すブロック図。
【図３】本発明の実施形態に係る携帯端末装置と充電器のロック機構の一例を示す図。
【図４】本発明の実施形態に係る携帯端末装置のユーザインタフェースを示す図。
【図５】本発明の実施形態に係る携帯端末装置の充電器通信設定画面の一例を示す図。
【図６】本発明の実施形態に係る通信機能付き充電器と携帯端末装置の動作アルゴリズムを示すフローチャート。
【図７】本発明の実施形態に係る通信機能付き充電器経由の通信開始判断の動作アルゴリズムを示すフローチャート。
【図８】本発明の実施形態に係る通信機能付き充電器経由の通信終了判断の動作アルゴリズムを示すフローチャート。
【図９】本発明の第二の実施形態に係る通信機能付き充電器と携帯端末装置の構成を示すブロック図。
【図１０】本発明の第二の実施形態に係る携帯端末装置のユーザインタフェースを示す図。
【図１１】本発明の第二の実施形態に係る携帯端末装置の操作メニューの一例を示す図。
【図１２】本発明の第二の実施形態に係る無線データ通信設定画面の一例を示す図。
【図１３】本発明の第二の実施形態に係る携帯端末装置の動作アルゴリズムを示すフローチャート。
【図１４】本発明の第二の実施形態に係る携帯端末装置の無線データ通信によるファイル転送の動作アルゴリズムを示すフローチャート。
【図１５】本発明の実施形態に係る携帯端末装置の充電器通信設定画面の一例を示す図。
【図１６】本発明の実施形態に係る通信機能付き充電器経由の通信開始判断の動作アルゴリズムを示すフローチャート。
【図１７】本発明の実施形態に係る通信機能付き充電器経由の通信終了判断の動作アルゴリズムを示すフローチャート。
【図１８】本発明の第四、第五の実施形態に係る携帯端末装置の操作メニューの一例を示す図。
【図１９】本発明の第四の実施形態に係る携帯端末装置の動作アルゴリズムを示すフローチャート。
【図２０】本発明の第四、第五の実施形態に係る通信機能付き充電器経由の通信継続判断の動作アルゴリズムを示すフローチャート。
【図２１】本発明の第五の実施形態に係る携帯端末装置の動作アルゴリズムを示すフローチャート。
【符号の説明】
１０１・・・携帯端末装置
１０２・・・記憶部
１０３・・・制御部
１０４・・・ユーザインタフェース
１０５・・・充電池
１０６・・・充電端子
１０７・・・接続検出部
１０８・・・通信端子
１０９・・・充電器
１１０・・・通信端子
１１１・・・通信制御部
１１２・・・通信インタフェース
１１３・・・装置固定部
１１４・・・充電端子
１１５・・・充電制御部
１１６・・・充電回路
１１７・・・ＡＣアダプタ
３０１・・・携帯端末装置
３０２・・・ロック溝
３０３・・・充電器
３０４・・・ロック機構
３０５・・・ロック爪
３０６・・・ソレノイドコイル
【図１】
2004015222.tif 000003
【図２】
2004015222.tif 000004
【図３】
2004015222.tif 000005
【図４】
2004015222.tif 000006
【図５】
2004015222.tif 000007
【図６】
2004015222.tif 000008
【図７】
2004015222.tif 000009
【図８】
2004015222.tif 000010
【図９】
2004015222.tif 000011
【図１０】
2004015222.tif 000012
【図１１】
2004015222.tif 000013
【図１２】
2004015222.tif 000014
【図１３】
2004015222.tif 000015
【図１４】
2004015222.tif 000016
【図１５】
2004015222.tif 000017
【図１６】
2004015222.tif 000018
【図１７】
2004015222.tif 000019
【図１８】
2004015222.tif 000020
【図１９】
2004015222.tif 000021
【図２０】
2004015222.tif 000022
【図２１】
2004015222.tif 000023